(57)【要約】【課題】定着ベルトが過昇温していないにも関わらず加熱停止装置が作動してしまうのを抑制しつつ、定着ベルトが周方向に破断した場合に加熱停止装置を適切なタイミングで作動させる。【解決手段】本発明の定着装置１８は、回転軸の周りを回転する定着ベルト２２と、定着ベルト２２に圧接して定着ニップ３９を形成する加圧部材２３と、定着ベルト２２の外周面と対向する加熱停止装置２９と、定着ベルト２２の両端部に装着される形状規制部材３０と、形状規制部材３０を回転軸方向内側に向かって付勢する付勢部材３１と、を備え、定着ベルト２２が周方向に破断すると、付勢部材３１の付勢力によって形状規制部材３０が回転軸方向内側に移動し、形状規制部材３０が定着ベルト２２を回転軸方向内側に押圧して、定着ベルト２２の少なくとも一部が加熱停止装置２９と接近する側に変形することを特徴とする。【選択図】図５
2016090885.tif 000002
【特許請求の範囲】
【請求項１】
回転軸の周りを回転可能に設けられる定着ベルトと、
前記定着ベルトに圧接して定着ニップを形成し、回転可能に設けられる加圧部材と、
前記定着ベルトを加熱する熱源と、
前記定着ベルトを前記加圧部材側に向かって押圧する押圧部材と、
前記定着ベルトの外周面と対向し、所定の温度で作動して前記熱源による前記定着ベルトの加熱を停止させる加熱停止装置と、
前記定着ベルトの両端部に装着され、前記定着ベルトの形状を規制する形状規制部材と、
前記形状規制部材を前記回転軸方向内側に向かって付勢する付勢部材と、を備え、
前記定着ベルトが周方向に破断すると、前記付勢部材の付勢力によって前記形状規制部材が前記回転軸方向内側に移動し、前記形状規制部材が前記定着ベルトを前記回転軸方向内側に押圧して、前記定着ベルトの少なくとも一部が前記加熱停止装置と接近する側に変形することを特徴とする定着装置。
【請求項２】
前記定着ベルトの少なくとも一部が前記加熱停止装置と接近する側に変形した際に、前記定着ベルトが前記加熱停止装置と接触して前記加熱停止装置が作動することを特徴とする請求項１に記載の定着装置。
【請求項３】
前記定着ベルトと前記加熱停止装置の対向間隔が所定の基準間隔以下になったか否かを検知可能な間隔センサーと、
前記定着ベルトと前記加熱停止装置の対向間隔が前記基準間隔以下になったことを前記間隔センサーが検知した場合に、前記熱源による前記定着ベルトの加熱を停止させる制御部と、を更に備えていることを特徴とする請求項１又は２に記載の定着装置。
【請求項４】
前記形状規制部材が前記回転軸方向内側に所定の基準移動量以上に移動したか否かを検知可能な移動センサーと、
前記形状規制部材が前記回転軸方向内側に前記基準移動量以上に移動したことを前記移動センサーが検知した場合に、前記熱源による前記定着ベルトの加熱を停止させる制御部と、を更に備えていることを特徴とする請求項１又は２に記載の定着装置。
【請求項５】
前記熱源は、前記定着ベルトの内径側に配置されると共に、前記回転軸に対して偏った位置に設けられ、
前記加熱停止装置は、前記定着ベルトのうちで前記熱源に最も接近する部分の外周面と対向していることを特徴とする請求項１〜４のいずれか１項に記載の定着装置。
【請求項６】
前記形状規制部材は、
前記定着ベルトの前記両端部に少なくとも一部が挿入される規制片と、
前記規制片に取り付けられ、前記定着ベルトの前記両端部の前記回転軸方向外側に配置されるリング片と、を備え、
前記付勢部材は、前記規制片の前記回転軸方向外側の面に当接していることを特徴とする請求項１〜５のいずれか１項に記載の定着装置。
【請求項７】
請求項１〜６のいずれか１項に記載の定着装置を備えていることを特徴とする画像形成装置。
【発明の詳細な説明】
【技術分野】
【０００１】
本発明は、記録媒体にトナー像を定着させる定着装置と、この定着装置を備えた画像形成装置に関する。
【背景技術】
【０００２】
従来、複写機やプリンターなどの電子写真方式の画像形成装置は、用紙などの記録媒体にトナー像を定着させる定着装置を備えている。
【０００３】
例えば、定着ベルトと、定着ベルトに圧接して定着ニップを形成する加圧部材と、定着ベルトを加熱する熱源と、定着ベルトの外周面と対向する加熱停止装置と、を備えた定着装置が知られている（特許文献１参照）。このような定着装置では、定着ベルトが過昇温すると、加熱停止装置が作動して、熱源による定着ベルトの加熱が停止されるようになっている。
【先行技術文献】
【特許文献】
【０００４】
【特許文献１】特開２０１３−１７８４７２号公報
【発明の概要】
【発明が解決しようとする課題】
【０００５】
上記のような定着装置において、定着ベルトと加熱停止装置の対向間隔が狭すぎると、定着ベルトが過昇温していないにも関わらず加熱停止装置が作動してしまう恐れがある。一方で、定着ベルトが周方向に破断した場合に、定着ベルトと加熱停止装置の対向間隔が広くなると、加熱停止装置が作動するタイミングが遅くなってしまう恐れがある。
【０００６】
そこで、本発明は上記事情を考慮し、定着ベルトが過昇温していないにも関わらず加熱停止装置が作動してしまうのを抑制しつつ、定着ベルトが周方向に破断した場合に加熱停止装置を適切なタイミングで作動させることを目的とする。
【課題を解決するための手段】
【０００７】
本発明の定着装置は、回転軸の周りを回転可能に設けられる定着ベルトと、前記定着ベルトに圧接して定着ニップを形成し、回転可能に設けられる加圧部材と、前記定着ベルトを加熱する熱源と、前記定着ベルトを前記加圧部材側に向かって押圧する押圧部材と、前記定着ベルトの外周面と対向し、所定の温度で作動して前記熱源による前記定着ベルトの加熱を停止させる加熱停止装置と、前記定着ベルトの両端部に装着され、前記定着ベルトの形状を規制する形状規制部材と、前記形状規制部材を前記回転軸方向内側に向かって付勢する付勢部材と、を備え、前記定着ベルトが周方向に破断すると、前記付勢部材の付勢力によって前記形状規制部材が前記回転軸方向内側に移動し、前記形状規制部材が前記定着ベルトを前記回転軸方向内側に押圧して、前記定着ベルトの少なくとも一部が前記加熱停止装置と接近する側に変形することを特徴とする。
【０００８】
このような構成を採用することで、定着ベルトが周方向に破断した場合に、定着ベルトと加熱停止装置の対向間隔を狭くすることが可能となる。これに伴って、加熱停止装置を適切なタイミングで作動させることが可能となる。
【０００９】
また、定着ベルトが周方向に破断した時には自動的に定着ベルトと加熱停止装置の対向間隔が狭くなるため、定着ベルトが周方向に破断した時に定着ベルトと加熱停止装置の対向間隔が広くなりすぎないように予め定着ベルトと加熱停止装置の対向間隔を狭く設定しておく必要が無い。そのため、定着ベルトと加熱停止装置の対向間隔を広く設定することが可能となり、定着ベルトが過昇温していないにも関わらず加熱停止装置が作動してしまうような事態を回避することが可能となる。
【００１０】
前記定着ベルトの少なくとも一部が前記加熱停止装置と接近する側に変形した際に、前記定着ベルトが前記加熱停止装置と接触して前記加熱停止装置が作動しても良い。
【００１１】
このような構成を採用することで、定着ベルトが周方向に破断した場合に、加熱停止装置を確実に作動させることが可能となる。
【００１２】
前記定着装置は、前記定着ベルトと前記加熱停止装置の対向間隔が所定の基準間隔以下になったか否かを検知可能な間隔センサーと、前記定着ベルトと前記加熱停止装置の対向間隔が前記基準間隔以下になったことを前記間隔センサーが検知した場合に、前記熱源による前記定着ベルトの加熱を停止させる制御部と、を更に備えていても良い。
【００１３】
このような構成を採用することで、定着ベルトが周方向に破断した場合に、定着ベルトが加熱停止装置に接触して加熱停止装置が作動する前に、熱源による定着ベルトの加熱を停止させることが可能となる。これに伴って、加熱停止装置の作動を極力回避することが可能となり、加熱停止装置の作動に伴って定着装置全体の交換が必要となるような事態が発生しにくくなる。
【００１４】
前記定着装置は、前記形状規制部材が前記回転軸方向内側に所定の基準移動量以上に移動したか否かを検知可能な移動センサーと、前記形状規制部材が前記回転軸方向内側に前記基準移動量以上に移動したことを前記移動センサーが検知した場合に、前記熱源による前記定着ベルトの加熱を停止させる制御部と、を更に備えていても良い。
【００１５】
このような構成を採用することで、定着ベルトが周方向に破断した場合に、定着ベルトが加熱停止装置に接触して加熱停止装置が作動する前に、熱源による定着ベルトの加熱を停止させることが可能となる。これに伴って、加熱停止装置の作動を極力回避することが可能となり、加熱停止装置の作動に伴って定着装置全体の交換が必要となるような事態が発生しにくくなる。
【００１６】
前記熱源は、前記定着ベルトの内径側に配置されると共に、前記回転軸に対して偏った位置に設けられ、前記加熱停止装置は、前記定着ベルトのうちで前記熱源に最も接近する部分の外周面と対向していても良い。
【００１７】
定着ベルトのうちで熱源に最も接近する部分は、定着ベルトのうちで最も過昇温しやすい部分である。そのため、上記のように定着ベルトのうちで熱源に最も接近する部分の外周面に加熱停止装置を対向させることで、定着ベルトの過昇温を確実に防止することができる。
【００１８】
前記形状規制部材は、前記定着ベルトの前記両端部に少なくとも一部が挿入される規制片と、前記規制片に取り付けられ、前記定着ベルトの前記両端部の前記回転軸方向外側に配置されるリング片と、を備え、前記付勢部材は、前記規制片の前記回転軸方向外側の面に当接していても良い。
【００１９】
このような構成を採用することで、定着ベルトの変形や蛇行を抑制しつつ、簡易な構成によって形状規制部材を付勢することが可能となる。
【００２０】
本発明の画像形成装置は、上記したいずれかの定着装置を備えていることを特徴とする。
【発明の効果】
【００２１】
本発明によれば、定着ベルトが過昇温していないにも関わらず加熱停止装置が作動してしまうのを抑制しつつ、定着ベルトが周方向に破断した場合に加熱停止装置を適切なタイミングで作動させることが可能となる。
【図面の簡単な説明】
【００２２】
【図１】本発明の第１の実施形態に係るプリンターの概略を示す模式図である。
【図２】本発明の第１の実施形態に係る定着装置を示す断面図である。
【図３】本発明の第１の実施形態に係る定着装置を示す側面図である。
【図４】本発明の第１の実施形態に係る定着装置の制御システムを示すブロック図である。
【図５】本発明の第１の実施形態に係る定着装置において、定着ベルトが周方向に破断した状態を示す側面図である。
【図６】本発明の第２の実施形態に係る定着装置を示す断面図である。
【図７】本発明の第３の実施形態に係る定着装置を示す側面図である。
【発明を実施するための形態】
【００２３】
＜第１の実施形態＞
まず、図１を用いて、電子写真方式のプリンター１（画像形成装置）の全体の構成について説明する。以下、図１における紙面手前側を、プリンター１の前側とする。各図に適宜付される矢印Ｆｒ、Ｒｒ、Ｌ、Ｒ、Ｕ、Ｌｏは、それぞれプリンター１の前側、後側、左側、右側、上側、下側を示している。
【００２４】
プリンター１は、箱型形状のプリンター本体２を備えており、プリンター本体２の下部には用紙（記録媒体）を収納する給紙カセット３が収容され、プリンター本体２の上面には排紙トレイ４が設けられている。プリンター本体２の上面には、排紙トレイ４の側方に上カバー５が開閉可能に取り付けられ、上カバー５の下方には、トナーコンテナ６が収納されている。
【００２５】
プリンター本体２の上部には、排紙トレイ４の下方にレーザー・スキャニング・ユニット（ＬＳＵ）で構成される露光器７が配置され、露光器７の下方には、画像形成部８が設けられている。画像形成部８には、像担持体である感光体ドラム１０が回転可能に設けられており、感光体ドラム１０の周囲には、帯電器１１と、現像器１２と、転写ローラー１３と、クリーニング装置１４とが、感光体ドラム１０の回転方向（図１の矢印Ｘ参照）に沿って配置されている。
【００２６】
プリンター本体２の内部には、用紙の搬送経路１５が設けられている。搬送経路１５の上流端には給紙部１６が設けられ、搬送経路１５の中流部には、感光体ドラム１０と転写ローラー１３によって構成される転写部１７が設けられ、搬送経路１５の下流部には定着装置１８が設けられ、搬送経路１５の下流端には排紙部２０が設けられている。搬送経路１５の下方には、両面印刷用の反転経路２１が形成されている。
【００２７】
次に、このような構成を備えたプリンター１の画像形成動作について説明する。
【００２８】
プリンター１に電源が投入されると、各種パラメーターが初期化され、定着装置１８の温度設定等の初期設定が実行される。そして、プリンター１に接続されたコンピューター等から画像データが入力され、印刷開始の指示がなされると、以下のようにして画像形成動作が実行される。
【００２９】
まず、帯電器１１によって感光体ドラム１０の表面が帯電された後、露光器７からのレーザー光（図１の二点鎖線Ｐ参照）により感光体ドラム１０に対して画像データに対応した露光が行われ、感光体ドラム１０の表面に静電潜像が形成される。次に、この静電潜像を、現像器１２がトナーによりトナー像に現像する。
【００３０】
一方、給紙部１６によって給紙カセット３から取り出された用紙は、上記した画像形成動作とタイミングを合わせて転写部１７へと搬送され、転写部１７において感光体ドラム１０上のトナー像が用紙に転写される。トナー像を転写された用紙は、搬送経路１５を下流側へと搬送されて定着装置１８に進入し、この定着装置１８において用紙にトナー像が定着される。トナー像が定着された用紙は、排紙部２０から排紙トレイ４に排出される。なお、感光体ドラム１０上に残留したトナーは、クリーニング装置１４によって回収される。
【００３１】
次に、図２、図３を用いて、定着装置１８について詳細に説明する。図２の矢印Ｙは、用紙の搬送方向を示している。図３の矢印Ｉは前後方向内側を示し、図３の矢印Ｏは前後方向外側を示している。
【００３２】
図２、図３等に示されるように、定着装置１８は、定着ベルト２２と、定着ベルト２２の下側（外側）に配置される加圧ローラー２３（加圧部材）と、定着ベルト２２の内径側に配置されるヒーター２４（熱源）と、定着ベルト２２の内径側においてヒーター２４の下側に配置される反射板２５（反射部材）と、定着ベルト２２の内径側において反射板２５の下側に配置される支持部材２６と、定着ベルト２２の内径側において支持部材２６の下側に配置される押圧部材２７と、定着ベルト２２の内径側において支持部材２６の前後両端部に固定されるカバー部材２８と、定着ベルト２２の上側（外側）に配置されるサーモカット２９（加熱停止装置）と、定着ベルト２２の前後両端部に装着される形状規制部材３０と、各形状規制部材３０の前後方向外側に配置される上下一対のコイルバネ３１（付勢部材）と、を備えている。なお、図３においては、定着ベルト２２の内部が透視されている。
【００３３】
定着ベルト２２は、前後方向に長い略円筒状を成している。定着ベルト２２は、前後方向に延びる回転軸Ａの周りを回転可能に設けられている。つまり、本実施形態では、前後方向が定着ベルト２２の回転軸方向である。定着ベルト２２は、通紙領域Ｒ１と、通紙領域Ｒ１の前後両側（通紙領域Ｒ１の前後方向外側）に設けられる非通紙領域Ｒ２と、を備えている。通紙領域Ｒ１は、最大サイズの用紙が通過する領域である。非通紙領域Ｒ２は、最大サイズの用紙が通過しない領域である。
【００３４】
定着ベルト２２は、可撓性を有しており、周方向には無端状である。定着ベルト２２は、例えば、基材層３５と、この基材層３５に周設される弾性層３６と、この弾性層３６を被覆する離型層３７と、を備えている。定着ベルト２２の基材層３５は、例えばＳＵＳやニッケルなどの金属によって形成されている。なお、定着ベルト２２の基材層３５は、ＰＩ（ポリイミド）などの樹脂によって形成されていても良い。定着ベルト２２の弾性層３６は、例えばシリコンゴムによって形成されており、定着ベルト２２の基材層３５よりも熱膨張率が大きい。定着ベルト２２の弾性層３６の厚みは、例えば２７０μｍである。定着ベルト２２の離型層３７は、例えばＰＦＡチューブによって形成されている。定着ベルト２２の離型層３７の厚みは、例えば２０μｍである。
【００３５】
加圧ローラー２３は、前後方向に長い略円柱状を成している。加圧ローラー２３は、定着ベルト２２に圧接しており、定着ベルト２２と加圧ローラー２３の間には定着ニップ３９が形成されている。加圧ローラー２３は、回転可能に設けられている。
【００３６】
加圧ローラー２３は、例えば、円柱状の芯材４０と、この芯材４０に周設される弾性層４１と、この弾性層４１を被覆する離型層４２と、を備えている。加圧ローラー２３の芯材４０は、例えば、鉄等の金属によって形成されている。加圧ローラー２３の弾性層４１は、例えば、シリコンゴムによって形成されている。加圧ローラー２３の離型層４２は、例えば、ＰＦＡチューブによって形成されている。
【００３７】
ヒーター２４は、例えば、ハロゲンヒーターによって構成されている。ヒーター２４は、定着ベルト２２の内部空間の上部（加圧ローラー２３から離間する側の部分）に配置されており、定着ベルト２２の回転軸Ａに対して上側（加圧ローラー２３から離間する側）に偏った位置に設けられている。そのため、本実施形態では、定着ベルト２２の上端部２２ａが定着ベルト２２のうちで最もヒーター２４に接近する部分となっている。
【００３８】
反射板２５は、前後方向に長い形状を成している。反射板２５は、例えば、光輝アルミニウム等の金属によって形成されている。反射板２５は、ヒーター２４と支持部材２６の間に配置されている。反射板２５の断面は、上側（加圧ローラー２３から離間する側）に向かって凸となるコ字状を成している。
【００３９】
反射板２５は、略水平に設けられる本体部４４と、本体部４４の左右両端部（用紙の搬送方向における上流側と下流側の端部）から下方に向かって屈曲されるガイド部４５と、を備えている。本体部４４の上面は、ヒーター２４に対向しており、ヒーター２４から放射される輻射熱を定着ベルト２２の内周面に向かって反射する反射面（鏡面）である。
【００４０】
支持部材２６は、前後方向に長い形状を成している。支持部材２６の上部は、反射板２５の各ガイド部４５の間に挿入されている。支持部材２６は、スペーサー５１を介して反射板２５を支持しており、反射板２５と直接的には接触していない。支持部材２６は、一対のＬ字状の板金５２を組み合わせることで形成されており、略矩形の断面形状を有している。支持部材２６の右下隅部には、下方に向かって突出する係合突起５３が設けられている。係合突起５３は、一方の板金５２を下方に延出させることによって形成されている。
【００４１】
押圧部材２７は、前後方向に長い平板状を成している。押圧部材２７は、例えば、ＬＣＰ（液晶ポリマー）等の耐熱性樹脂によって形成されている。押圧部材２７の上面の右端部には、係合凹部５５が設けられている。係合凹部５５には、支持部材２６の係合突起５３が係合している。押圧部材２７の上面には、複数のボス５６が突設されている。各ボス５６の上端部は、支持部材２６の下面に当接している。以上のような構成により、支持部材２６によって押圧部材２７が支持されており、押圧部材２７の反りが規制されている。
【００４２】
押圧部材２７の下面の右側部分（用紙の搬送方向下流側の部分）は、左側（用紙の搬送方向上流側）から右側（用紙の搬送方向下流側）に向かって下側（加圧ローラー２３側）に傾斜している。押圧部材２７の下面は、定着ベルト２２を下側（加圧ローラー２３側）に向かって押圧している。
【００４３】
各カバー部材２８は、正面視で略Ｕ字状を成している。各カバー部材２８は、定着ベルト２２の各非通紙領域Ｒ２と前後方向の位置が対応しており、ヒーター２４から定着ベルト２２の各非通紙領域Ｒ２に向かう輻射熱を遮断する機能を有している。
【００４４】
各カバー部材２８は、上方に向かって円弧状に湾曲する湾曲部５７と、湾曲部５７の左右両端部（用紙の搬送方向における上流側と下流側の端部）から下方に向かって屈曲される取付部５８と、を備えている。湾曲部５７は、定着ベルト２２の内周面に沿って配置されている。各取付部５８の下端部は、支持部材２６の左右両側面に取り付けられている。
【００４５】
サーモカット２９は、例えば、バイメタル方式（熱膨張率の異なる２種類の金属によって接点を構成する方式）のサーモスタットである。サーモカット２９は、定着ベルト２２の上端部２２ａ（定着ベルト２２のうちでヒーター２４に最も接近する部分）の直上に配置されており、定着ベルト２２の上端部２２ａの外周面と対向している。サーモカット２９は、定着ベルト２２の通紙領域Ｒ１の前後方向中央部Ｚ（定着ベルト２２全体の前後方向中央部にも相当する）と対応する位置に設けられている。
【００４６】
各形状規制部材３０は、各カバー部材２８よりも前後方向外側に配置されている。各形状規制部材３０は、規制片６０と、規制片６０に取り付けられるリング片６１と、を備えている。
【００４７】
各形状規制部材３０の規制片６０は、基台部６２と、基台部６２の前後方向内側の面に突設される規制部６３と、を備えている。規制片６０には、基台部６２と規制部６３を貫通する貫通穴６４が前後方向に沿って設けられており、この貫通穴６４をヒーター２４が貫通している。規制部６３は、貫通穴６４の外周に沿って円弧状に湾曲しており、略下向きＣ字状を成している。規制部６３は、定着ベルト２２の前後両端部に挿入されている。これにより、定着ベルト２２の形状が規制されている（定着ベルト２２の変形が抑制されている）。
【００４８】
各形状規制部材３０のリング片６１は、円環状を成している。リング片６１は、規制片６０の規制部６３の外周に装着されている。リング片６１は、定着ベルト２２の前後両端部の前後方向外側に配置されており、定着ベルト２２の蛇行（前後方向外側への移動）を規制している。リング片６１は、規制片６０の基台部６２の前後方向内側に配置されており、これにより、リング片６１の前後方向外側への移動が規制されている。
【００４９】
各コイルバネ３１の前後方向外側の端部は、バネ受部６６に当接している。バネ受部６６は、例えば、定着ベルト２２や加圧ローラー２３を収容する定着フレーム（図示せず）に設けられている。各コイルバネ３１の前後方向内側の端部は、各形状規制部材３０の規制片６０の基台部６２の前後方向外側の面に当接している。図３に白抜き矢印で示されるように、各コイルバネ３１は、各形状規制部材３０を前後方向内側に向かって付勢している。換言すると、各コイルバネ３１は、定着ベルト２２の通紙領域Ｒ１の前後方向中央部Ｚ（定着ベルト２２全体の前後方向中央部にも相当する）に向かって各形状規制部材３０を押圧している。これに伴って、各形状規制部材３０のリング片６１が定着ベルト２２を前後方向内側に向かって押圧している。
【００５０】
次に、定着装置１８の制御システムについて、図４を用いて説明する。
【００５１】
定着装置１８には、制御部７１（ＣＰＵ）が設けられている。制御部７１は、ＲＯＭ、ＲＡＭ等の記憶装置で構成される記憶部７２と接続されており、記憶部７２に格納された制御プログラムや制御用データに基づいて、制御部７１が定着装置１８の各部の制御を行うように構成されている。記憶部７２は、サーモカット２９の作動温度Ｔを記憶している。
【００５２】
制御部７１はモーター等によって構成される駆動源７３に接続されており、駆動源７３は加圧ローラー２３に接続されている。そして、制御部７１からの信号に基づいて駆動源７３が加圧ローラー２３を回転させるようになっている。
【００５３】
制御部７１は電源７４に接続されており、電源７４はヒーター２４に接続されている。そして、制御部７１からの信号に基づいて電源７４からヒーター２４に電力が供給されることでヒーター２４が稼働するようになっている。電源７４からヒーター２４に至る電力供給経路中には、サーモカット２９が設けられている。サーモカット２９は、作動温度Ｔで作動して電源７４からヒーター２４への電力の供給を遮断し、ヒーター２４による定着ベルト２２の加熱を停止させるように構成されている。
【００５４】
上記のように構成された定着装置１８において、用紙にトナー像を定着させる際には、駆動源７３によって加圧ローラー２３を回転させる（図２の矢印Ｂ参照）。このように加圧ローラー２３が回転すると、加圧ローラー２３に圧接する定着ベルト２２が加圧ローラー２３とは逆方向に従動回転する（図２の矢印Ｃ参照）。このように定着ベルト２２が回転すると、定着ベルト２２が押圧部材２７に対して摺動する。
【００５５】
また、用紙にトナー像を定着させる際には、電源７４からヒーター２４に電力を供給し、ヒーター２４を稼働させる。このようにヒーター２４が稼働すると、ヒーター２４から輻射熱が放射される。ヒーター２４から放射された輻射熱の一部は、図２に矢印Ｄで示されるように、定着ベルト２２の内周面に直接照射され、吸収される。また、ヒーター２４から放射された輻射熱の別の一部は、図２に矢印Ｅで示されるように、反射板２５の本体部４４の上面によって定着ベルト２２の内周面に向かって反射され、定着ベルト２２の内周面に吸収される。以上のような作用により、ヒーター２４によって定着ベルト２２が加熱される。この状態で、用紙が定着ニップ３９を通過すると、トナー像が加熱されて溶融し、用紙にトナー像が定着される。
【００５６】
ところで、上記のように構成された定着装置１８においては、定着ベルト２２が停止するのに伴ってヒーター２４による定着ベルト２２に対する加熱が停止された場合であっても、定着ベルト２２の上端部２２ａがヒーター２４の余熱によって局所的に加熱されてオーバーシュート（温度上昇）することがある。もし定着ベルト２２の上端部２２ａとサーモカット２９の対向間隔が狭すぎると、上記のように定着ベルト２２の上端部２２ａがオーバーシュートした場合に、定着ベルト２２が過昇温していないにも関わらずサーモカット２９が作動してしまう恐れがある。サーモカット２９が一度作動すると、サーモカット２９を作動前の状態に復元するのは困難であるため、通常は定着装置１８全体の交換が必要となる。
【００５７】
このような事態を回避するためには、定着ベルト２２の上端部２２ａとサーモカット２９の対向間隔を広くする必要がある。ところが、このように対向間隔を広くすると、今度は、定着ベルト２２が過昇温した時にサーモカット２９が作動するタイミングが遅くなってしまう恐れがある。特に、本実施形態のように定着ベルト２２を平板状の押圧部材２７によって下側に押圧する構成を採用する場合、定着ベルト２２が周方向に破断した時に定着ベルト２２が横長楕円状に変形する恐れがある。このように定着ベルト２２が横長楕円状に変形すると、定着ベルト２２の上端部２２ａとサーモカット２９の対向間隔が一層広くなってしまい、サーモカット２９が作動するタイミングが一層遅くなってしまう恐れがある。そこで、本実施形態では以下のようにして、定着ベルト２２が周方向に破断した時でもサーモカット２９を適切なタイミングで作動させている。
【００５８】
図３に示されるように、定着ベルト２２の通常使用時（定着ベルト２２が周方向に破断していない時）には、定着ベルト２２の上端部２２ａがサーモカット２９と一定の間隔を介して対向している。
【００５９】
これに対して、図５に示されるように、定着ベルト２２が破断部Ｔに沿って周方向に破断すると、各コイルバネ３１の付勢力によって各形状規制部材３０が前後方向内側に移動し、各形状規制部材３０が定着ベルト２２を前後方向内側に押圧する。この押圧により、定着ベルト２２の上端部２２ａが上側（サーモカット２９と接近する側）に隆起（変形）し、サーモカット２９に接触する。これに伴って、サーモカット２９の温度が作動温度Ｔに到達し、サーモカット２９が作動して、電源７４からヒーター２４への電力供給が停止される。そのため、ヒーター２４による定着ベルト２２の加熱も停止される。
【００６０】
本実施形態では上記のように、定着ベルト２２が周方向に破断した場合に、定着ベルト２２の上端部２２ａとサーモカット２９の対向間隔を狭くする（本実施形態では０にする）ことが可能となっている。そのため、サーモカット２９を適切なタイミングで作動させることが可能となる。
【００６１】
また、定着ベルト２２が周方向に破断した時には自動的に定着ベルト２２の上端部２２ａとサーモカット２９の対向間隔が狭くなる仕組みである。そのため、定着ベルト２２が周方向に破断した時に定着ベルト２２の上端部２２ａとサーモカット２９の対向間隔が広くなりすぎないように予め定着ベルト２２の上端部２２ａとサーモカット２９の対向間隔を狭くしておく必要が無い。従って、定着ベルト２２の上端部２２ａとサーモカット２９の対向間隔を広く設定することが可能となり、定着ベルト２２が過昇温していないにも関わらずサーモカット２９が作動してしまうような事態を回避することが可能となる。
【００６２】
また、定着ベルト２２の上端部２２ａが上側（サーモカット２９と接近する側）に隆起（変形）した際に、定着ベルト２２の上端部２２ａがサーモカット２９と接触してサーモカット２９が作動するように構成されている。このような構成を採用することで、定着ベルト２２が周方向に破断した場合に、サーモカット２９の温度を作動温度Ｔに確実に到達させ、サーモカット２９を確実に作動させることが可能となる。
【００６３】
また、ヒーター２４は、定着ベルト２２の内径側に配置されると共に、定着ベルト２２の回転軸Ａに対して上側（加圧ローラー２３から離間する側）に偏った位置に設けられ、サーモカット２９は、定着ベルト２２の上端部２２ａ（定着ベルト２２のうちでヒーター２４に最も接近する部分）の外周面と対向している。定着ベルト２２の上端部２２ａは、定着ベルト２２のうちで最も過昇温しやすい部分であるため、上記のように定着ベルト２２の上端部２２ａの外周面にサーモカット２９を対向させることで、定着ベルト２２の過昇温を確実に防止することができる。
【００６４】
また、各形状規制部材３０は、定着ベルト２２の前後両端部に一部が挿入される規制片６０と、規制片６０に取り付けられ、定着ベルト２２の前後両端部の前後方向外側に配置されるリング片６１と、を備えており、各コイルバネ３１は、規制片６０の前後方向外側の面に当接している。このような構成を採用することで、定着ベルト２２の変形や蛇行を抑制しつつ、簡易な構成によって各形状規制部材３０を付勢することが可能となる。
【００６５】
本実施形態では、ハロゲンヒーターをヒーター２４として用いる場合について説明したが、他の異なる実施形態では、セラミックヒーターなどをヒーターとして用いても良い。
【００６６】
本実施形態では、プリンター１に本発明の構成を適用する場合について説明したが、他の異なる実施形態では、複写機、ファクシミリ、複合機等の他の画像形成装置に本発明の構成を適用することも可能である。
【００６７】
＜第２の実施形態＞
次に、本発明の第２の実施形態に係る定着装置８１について、図６を用いて説明する。なお、間隔センサー８２以外の構成については、第１の実施形態の定着装置１８と同様であるため、説明を省略する。
【００６８】
図６に示されるように、定着装置８１には、定着ベルト２２の近傍に間隔センサー８２が設けられている。間隔センサー８２は、例えばＰＩセンサー（Photo  Interrupter  Sensor）などの光学センサーであり、センサー光（図６の矢印Ｌ１参照）を出射する発光部８３と、発光部８３から出射されるセンサー光を受ける受光部８４と、を備えている。間隔センサー８２の発光部８３及び受光部８４は、サーモカット２９と同様に、定着ベルト２２の通紙領域Ｒ１の前後方向中央部Ｚ（定着ベルト２２全体の前後方向中央部にも相当する）と対応する位置に設けられている。
【００６９】
上記のように構成された定着装置８１において、定着ベルト２２の通常使用時（定着ベルト２２が周方向に破断していない時）には、図６に実線で示されるように、定着ベルト２２の上端部２２ａがサーモカット２９と所定の間隔を介して対向しており、定着ベルト２２の上端部２２ａとサーモカット２９の対向間隔が記憶部７２に記憶された基準間隔Ｓ（０＜Ｓ）よりも大きい。この状態では、間隔センサー８２の発光部８３から出射されたセンサー光は、左右方向（定着ベルト２２の回転軸方向と直交する方向）に沿って直進し、定着ベルト２２の上端部２２ａとサーモカット２９の対向間隔を通過して、間隔センサー８２の受光部８４に到達する。これに伴って、間隔センサー８２は、定着ベルト２２の上端部２２ａとサーモカット２９の対向間隔が基準間隔Ｓ（０＜Ｓ）以下になっていないことを検知し、この検知結果を制御部７１に出力する。この場合、制御部７１は、ヒーター２４による定着ベルト２２の加熱を継続させる。
【００７０】
これに対して、定着ベルト２２が周方向に破断すると、図６に二点鎖線で示されるように、第１の実施形態と同様の作用によって定着ベルト２２の上端部２２ａが上側（サーモカット２９と接近する側）に隆起（変形）し、サーモカット２９に接近する。これに伴って、定着ベルト２２の上端部２２ａとサーモカット２９の対向間隔が基準間隔Ｓ以下になる。この状態では、間隔センサー８２の発光部８３から出射されたセンサー光は、定着ベルト２２の上端部２２ａによって遮断され、間隔センサー８２の受光部８４には到達しない。これに伴って、間隔センサー８２は、定着ベルト２２の上端部２２ａとサーモカット２９の対向間隔が基準間隔Ｓ以下になったことを検知し、この検知結果を制御部７１に出力する。この場合、制御部７１は、ヒーター２４による定着ベルト２２の加熱を停止させる。
【００７１】
このような構成を採用することで、定着ベルト２２が周方向に破断した場合に、定着ベルト２２の上端部２２ａがサーモカット２９に接触してサーモカット２９が作動する前（サーモカット２９の温度が作動温度Ｔに到達する前）に、ヒーター２４による定着ベルト２２の加熱を停止させることが可能となる。これに伴って、サーモカット２９の作動を極力回避することが可能となり、サーモカット２９の作動に伴って定着装置８１全体の交換が必要となるような事態が発生しにくくなる。
【００７２】
本実施形態では、間隔センサー８２の発光部８３及び受光部８４が定着ベルト２２の通紙領域Ｒ１の前後方向中央部Ｚ（定着ベルト２２全体の前後方向中央部にも相当する）と対応する位置に設けられている場合について説明した。一方で、他の異なる実施形態では、間隔センサー８２の発光部８３が定着ベルト２２の一端部（例えば、前端部）と対応する位置に設けられ、間隔センサー８２の受光部８４が定着ベルト２２の他端部（例えば、後端部）と対応する位置に設けられていても良い。このような構成を採用することで、間隔センサー８２の発光部８３から出射されたセンサー光が、前後方向（定着ベルト２２の回転軸方向）に沿って直進し、定着ベルト２２の一端部から他端部までを通過した後に、間隔センサー８２の受光部８４に到達することになる。これに伴って、前後方向のいずれの位置で定着ベルト２２が周方向に破断しているかに関わらず、定着ベルト２２の周方向の破断をより確実に検知することが可能となる。
【００７３】
＜第３の実施形態＞
次に、本発明の第３の実施形態に係る定着装置９１について、図７を用いて説明する。なお、移動センサー９２以外の構成については、第１の実施形態の定着装置１８と同様であるため、説明を省略する。
【００７４】
図７に示されるように、定着装置１８には、前側の形状規制部材３０の近傍に移動センサー９２が設けられている。移動センサー９２は、例えばＰＩセンサー（Photo  Interrupter  Sensor）などの光学センサーであり、センサー光（図７の矢印Ｌ２参照）を出射する発光部９３と、発光部９３から出射されるセンサー光を受ける受光部９４と、を備えている。
【００７５】
上記のように構成された定着装置９１において、定着ベルト２２の通常使用時（定着ベルト２２が周方向に破断していない時）には、図７に実線で示されるように、前側の形状規制部材３０が所定の位置に配置されている。この状態では、移動センサー９２の発光部９３から出射されたセンサー光は、前側の形状規制部材３０によって遮断され、移動センサー９２の受光部９４には到達しない。これに伴って、移動センサー９２は、前側の形状規制部材３０が記憶部７２に記憶された基準移動量Ｍ（０＜Ｍ）以上に前後方向内側に移動していないことを検知し、この検知結果を制御部７１に出力する。この場合、制御部７１は、ヒーター２４による定着ベルト２２の加熱を継続させる。
【００７６】
これに対して、定着ベルト２２が周方向に破断すると、図７に二点鎖線で示されるように、第１の実施形態と同様の作用によって各形状規制部材３０が前後方向内側に移動すると共に、定着ベルト２２の上端部２２ａが上側（サーモカット２９と接近する側）に隆起（変形）し、サーモカット２９に接近する。上記のように各形状規制部材３０が前後方向内側に移動すると、移動センサー９２の発光部９３から出射されたセンサー光は、前側の形状規制部材３０によって遮断されることなく、移動センサー９２の受光部９４に到達する。これに伴って、移動センサー９２は、前側の形状規制部材３０が基準移動量Ｍ以上に前後方向内側に移動したことを検知し、この検知結果を制御部７１に出力する。この場合、制御部７１は、ヒーター２４による定着ベルト２２の加熱を停止させる。
【００７７】
このような構成を採用することで、定着ベルト２２が周方向に破断した場合に、定着ベルト２２の上端部２２ａがサーモカット２９に接触してサーモカット２９が作動する前（サーモカット２９の温度が作動温度Ｔに到達する前）に、ヒーター２４による定着ベルト２２の加熱を停止させることが可能となる。これに伴って、サーモカット２９の作動を極力回避することが可能となり、サーモカット２９の作動に伴って定着装置９１全体の交換が必要となるような事態が発生しにくくなる。
【符号の説明】
【００７８】
１  プリンター（画像形成装置）
１８  定着装置
２２  定着ベルト
２２ａ  定着ベルトの上端部（ヒーターに最も接近する部分）
２３  加圧ローラー（加圧部材）
２４  ヒーター（熱源）
２７  押圧部材
２９  サーモカット（加熱停止装置）
３０  形状規制部材
３１  コイルバネ（付勢部材）
３９  定着ニップ
７１  制御部
８１  定着装置
８２  間隔センサー
９１  定着装置
９２  移動センサー
Ａ  （定着ベルトの）回転軸
【図１】
2016090885.tif 000003
【図２】
2016090885.tif 000004
【図３】
2016090885.tif 000005
【図４】
2016090885.tif 000006
【図５】
2016090885.tif 000007
【図６】
2016090885.tif 000008
【図７】
2016090885.tif 000009